(57)【要約】【課題】給紙テーブルにセットされる原稿が取り扱いづらい長尺原稿の場合に、原稿のセット性を良好にして搬送性能の向上させる自動原稿搬送装置および画像形成装置を提供すること。【解決手段】載置位置と搬送開始位置の間で移動することができる原稿載置台２から原稿を搬送する自動原稿搬送装置において、原稿載置台２を駆動する駆動手段と、原稿載置台２に載置された原稿を検知する原稿検知手段５と、原稿載置台２に載置された原稿の読み取りの開始指示をするとともに、通常モードおよび長尺原稿モードのうちいずれか一方を選択する操作部と、通常モードが選択された場合、原稿検知手段５によって検知されたとき、駆動手段を駆動するよう制御し、長尺原稿モードが選択された場合、原稿検知手段５によって原稿が検知され、読み取りの開始指示があったとき、駆動手段を駆動するよう制御する制御手段１とを備える。【選択図】      図１
2004282369.tif 000002
【特許請求の範囲】
【請求項１】
前記原稿を載置する載置位置と原稿の搬送を開始する搬送開始位置の間で移動することができる原稿載置台と、
前記載置位置と前記搬送開始位置の間で移動できるよう前記原稿載置台を駆動する駆動手段と、
前記原稿載置台に載置された原稿を検知する原稿検知手段と、を有し、画像形成装置の本体に装着された自動原稿搬送装置であって、
原稿の読み取り開始指示があったとき読み取り開始指示に対応した開始指示信号が前記本体から入力され、通常モードおよび長尺原稿モードのうち長尺原稿モードが選択されたとき、前記長尺原稿モードに対応した長尺原稿モード信号が前記本体から入力される入力手段と、
前記原稿検知手段によって前記原稿が検知されたとき、前記原稿載置台を前記載置位置から前記搬送開始位置に移動するよう前記駆動手段を制御する駆動制御手段と、を備え、前記駆動制御手段が、前記入力手段に前記長尺原稿モード信号が入力された場合には、前記原稿載置台を前記載置位置に移動させるよう駆動手段を制御し、前記入力手段に前記開始指示信号が入力されたとき、前記原稿載置台を前記搬送開始位置に移動させるよう前記駆動手段を制御するようにしたことを特徴とする自動原稿搬送装置。
【請求項２】
前記原稿を載置する載置位置と原稿の搬送を開始する搬送開始位置の間で移動することができる原稿載置台と、
前記載置位置と前記搬送開始位置の間で移動できるよう前記原稿載置台を駆動する駆動手段と、
前記原稿載置台に載置された原稿を検知する原稿検知手段と、を有し、画像形成装置の本体に装着された自動原稿搬送装置であって、
前記原稿載置台に載置された原稿が通常原稿か長尺原稿かを検知する長尺原稿検知手段と、
原稿の読み取り開始指示があったとき読み取り開始指示に対応した読取開始信号が前記本体から入力される入力手段と、
前記原稿検知手段によって前記原稿が検知されたとき、前記原稿載置台を前記載置位置から前記搬送開始位置に移動するよう前記駆動手段を制御する駆動制御手段と、を備え、前記駆動制御手段が、前記長尺原稿検知手段によって前記原稿が長尺原稿であると検知された場合には、前記原稿載置台を前記載置位置に移動させるよう前記駆動手段を制御し、前記入力手段に前記開始指示信号が入力されたとき、前記原稿載置台を前記搬送開始位置に移動させるよう前記駆動手段を制御するようにしたことを特徴とする自動原稿搬送装置。
【請求項３】
前記原稿を載置する載置位置と原稿の搬送を開始する搬送開始位置の間で移動することができる原稿載置台と、
前記載置位置と前記搬送開始位置の間で移動できるよう前記原稿載置台を駆動する駆動手段と、
前記原稿載置台に載置された原稿を検知する原稿検知手段と、を有し、画像形成装置の本体に装着された自動原稿搬送装置であって、
前記原稿載置台に載置された原稿が通常原稿か長尺原稿かを検知する長尺原稿検知手段と、
前記原稿検知手段によって前記原稿が検知されたとき、前記原稿載置台を前記載置位置から前記搬送開始位置に移動するよう前記駆動手段を制御する駆動制御手段と、を備え、前記駆動制御手段が、前記長尺原稿検知手段によって前記原稿が長尺原稿であると検知された場合には、前記原稿載置台を前記載置位置に移動させるよう前記駆動手段を制御し、前記原稿載置台に原稿が載置された後に予め設定された所定の時間が経過したとき、前記原稿載置台を前記搬送開始位置に移動させるよう前記駆動手段を制御するようにしたことを特徴とする自動原稿搬送装置。
【請求項４】
原稿を載置する載置位置と原稿の搬送を開始する搬送開始位置の間で移動することができる原稿載置台から前記原稿を読取位置に搬送する自動原稿搬送装置と、前記読取位置に搬送された原稿を読み取って画像を形成する本体と、を有する画像形成装置であって、
前記自動原稿搬送装置が、前記載置位置と前記搬送開始位置の間で移動できるよう前記原稿載置台を駆動する駆動手段と、前記原稿載置台に載置された原稿を検知する原稿検知手段と、を備え、
前記本体が、前記原稿載置台に載置された原稿の読み取りの開始指示をする読取開始指示手段と、通常モードおよび長尺原稿モードのうちいずれか一方を選択するモード選択手段と、前記原稿検知手段によって前記原稿が検知されたとき、前記原稿載置台を前記載置位置から前記搬送開始位置に移動するよう前記駆動手段を制御する制御手段と、を備え、
前記制御手段が、前記選択手段によって前記長尺原稿モードが選択された場合には、前記原稿載置台を前記載置位置に移動させるよう駆動手段を制御し、前記読取開始指示手段により前記原稿の読み取りの開始指示があったとき、前記原稿載置台を前記搬送開始位置に移動させるよう前記駆動手段を制御するようにしたことを特徴とする画像形成装置。
【発明の詳細な説明】
【０００１】
【産業上の利用分野】
本発明は、自動原稿搬送装置および画像形成装置に関し、詳しくは、原稿のセット性を良好にして搬送性能の向上させる自動原稿搬送装置および当該自動原稿搬送装置を備えた複写機等の画像形成装置に関する。
【０００２】
【従来の技術】
従来、原稿のセット性を良好にして搬送性能の低下を防止するため、自動原稿搬送装置が特許文献１に記載されている。この特許文献１の図１において、自動原稿給紙装置１は、原稿を収容する給紙テーブル６を有し、この給紙テーブル６は、収容した最上位の原稿が呼び出しコロ８に当接する位置まで上昇するよう底板７を持ち上げるようになっている。そして、自動原稿搬送装置１は、ファーストコピーの時間を向上させるための通常モードと、ユーザが慌てて原稿をセットしないようにするための混載モード（２）と、を有しており、通常モードが設定されていた場合、原稿セットを検知したとき、底板７を給紙の適正な位置まで上昇させるように制御するようになっており、一方、混載モード（２）が設定されていた場合、原稿セット検知後、さらにスタートキーが押下されてから底板７を給紙適正な位置まで上昇させるよう制御するようになっている。
【０００３】
【特許文献１】
特開２０００−５３２５５号公報（第４頁、第７頁、図１）
【０００４】
【発明が解決しようとする課題】
しかしながら、従来の自動原稿給紙装置は、給紙テーブルにセットされる原稿が給紙方向に長い長尺原稿の場合、原稿セットを検知したときに底板７を給紙の適正な位置まで上昇させてしまうと、取り扱いずらいため斜めにセットする等、セットが不完全になってしまいスキュー等の不具合が発生するという問題があった。
【０００５】
そこで、本発明は、給紙テーブルにセットされる原稿が取り扱いづらい長尺原稿の場合に、原稿のセット性を良好にして搬送性能の向上させる自動原稿搬送装置および画像形成装置を提供することを目的とする。
【０００６】
【課題を解決するための手段】
請求項１に係る発明は、上記課題を解決するため、前記原稿を載置する載置位置と原稿の搬送を開始する搬送開始位置の間で移動することができる原稿載置台と、前記載置位置と前記搬送開始位置の間で移動できるよう前記原稿載置台を駆動する駆動手段と、前記原稿載置台に載置された原稿を検知する原稿検知手段と、を有し、画像形成装置の本体に装着された自動原稿搬送装置であって、原稿の読み取り開始指示があったとき読み取り開始指示に対応した開始指示信号が前記本体から入力され、通常モードおよび長尺原稿モードのうち長尺原稿モードが選択されたとき、前記長尺原稿モードに対応した長尺原稿モード信号が前記本体から入力される入力手段と、前記原稿検知手段によって前記原稿が検知されたとき、前記原稿載置台を前記載置位置から前記搬送開始位置に移動するよう前記駆動手段を制御する駆動制御手段と、を備え、前記駆動制御手段が、前記入力手段に前記長尺原稿モード信号が入力された場合には、前記原稿載置台を前記載置位置に移動させるよう駆動手段を制御し、前記入力手段に前記開始指示信号が入力されたとき、前記原稿載置台を前記搬送開始位置に移動させるよう前記駆動手段を制御するよう構成されている。
【０００７】
この構成により、ユーザが原稿載置台に載置する原稿が通常原稿か長尺原稿か否かによって、通常モードおよび長尺原稿モードのいずれか一方を選択することができ、利便性が向上することができる。このため、通常モードの場合には、原稿検知手段によって原稿載置台に原稿がセットされたことを検知したとき原稿載置台を上昇させ、長尺原稿モードの場合には、原稿検知手段によって原稿載置台に原稿がセットされたことを検知し、ユーザによってスタートキーを押下されたとき原稿載置台を上昇させることができる。したがって、通常原稿の場合には、コピー等の処理時間が短縮できる一方、長尺原稿の場合には、ユーザは、慌てずに原稿載置台に原稿をセットできる自動原稿搬送装置を提供することができる。
【０００８】
請求項２に係る発明は、上記課題を解決するため、前記原稿を載置する載置位置と原稿の搬送を開始する搬送開始位置の間で移動することができる原稿載置台と、前記載置位置と前記搬送開始位置の間で移動できるよう前記原稿載置台を駆動する駆動手段と、前記原稿載置台に載置された原稿を検知する原稿検知手段と、を有し、画像形成装置の本体に装着された自動原稿搬送装置であって、前記原稿載置台に載置された原稿が通常原稿か長尺原稿かを検知する長尺原稿検知手段と、原稿の読み取り開始指示があったとき読み取り開始指示に対応した読取開始信号が前記本体から入力される入力手段と、前記原稿検知手段によって前記原稿が検知されたとき、前記原稿載置台を前記載置位置から前記搬送開始位置に移動するよう前記駆動手段を制御する駆動制御手段と、を備え、前記駆動制御手段が、前記長尺原稿検知手段によって前記原稿が長尺原稿であると検知された場合には、前記原稿載置台を前記載置位置に移動させるよう前記駆動手段を制御し、前記入力手段に前記開始指示信号が入力されたとき、前記原稿載置台を前記搬送開始位置に移動させるよう前記駆動手段を制御するよう構成されている。
【０００９】
この構成により、原稿載置台に通常原稿か長尺原稿か否かを検知する長尺原稿検知手段が設けられているので、通常原稿か長尺原稿かを検知することができる。このため、原稿載置台に載置された原稿が通常原稿の場合には、原稿検知センサによって原稿が検知されたとき、原稿載置台を上昇させるよう駆動手段を制御し、長尺原稿の場合には、原稿検知センサによって原稿が検知され、ユーザによってスタートキーを押下されたとき、原稿載置台を上昇させるよう駆動手段を制御することができる。したがって、通常原稿の場合には、コピー等の処理時間が短縮できる一方、長尺原稿の場合には、ユーザは、慌てずに原稿載置台に原稿をセットすることができ、利便性が向上する自動原稿搬送装置を提供することができる。
【００１０】
請求項３に係る発明は、上記課題を解決するため、前記原稿を載置する載置位置と原稿の搬送を開始する搬送開始位置の間で移動することができる原稿載置台と、前記載置位置と前記搬送開始位置の間で移動できるよう前記原稿載置台を駆動する駆動手段と、前記原稿載置台に載置された原稿を検知する原稿検知手段と、を有し、画像形成装置の本体に装着された自動原稿搬送装置であって、前記原稿載置台に載置された原稿が通常原稿か長尺原稿かを検知する長尺原稿検知手段と、前記原稿検知手段によって前記原稿が検知されたとき、前記原稿載置台を前記載置位置から前記搬送開始位置に移動するよう前記駆動手段を制御する駆動制御手段と、を備え、前記駆動制御手段が、前記長尺原稿検知手段によって前記原稿が長尺原稿であると検知された場合には、前記原稿載置台を前記載置位置に移動させるよう前記駆動手段を制御し、前記原稿載置台に原稿が載置された後に予め設定された所定の時間が経過したとき、前記原稿載置台を前記搬送開始位置に移動させるよう前記駆動手段を制御するよう構成されている。
【００１１】
この構成により、原稿載置台に載置された原稿が通常原稿の場合には、原稿検知センサによって原稿が検知されたとき、原稿載置台を上昇させるよう駆動手段を制御し、長尺原稿の場合には、原稿検知センサによって原稿が検知され、設定手段によって設定された所定の時間を経過したとき、原稿載置台を上昇させるよう駆動手段を制御することができる。したがって、通常原稿の場合には、コピー等の処理時間が短縮できる一方、長尺原稿の場合には、ユーザは、慌てずに原稿載置台に原稿をセットすることができ、利便性が向上する自動原稿搬送装置を提供することができる。
【００１２】
請求項４に係る発明は、上記課題を解決するため、原稿を載置する載置位置と原稿の搬送を開始する搬送開始位置の間で移動することができる原稿載置台から前記原稿を読取位置に搬送する自動原稿搬送装置と、前記読取位置に搬送された原稿を読み取って画像を形成する本体と、を有する画像形成装置であって、前記自動原稿搬送装置が、前記載置位置と前記搬送開始位置の間で移動できるよう前記原稿載置台を駆動する駆動手段と、前記原稿載置台に載置された原稿を検知する原稿検知手段と、を備え、前記本体が、前記原稿載置台に載置された原稿の読み取りの開始指示をする読取開始指示手段と、通常モードおよび長尺原稿モードのうちいずれか一方を選択するモード選択手段と、前記原稿検知手段によって前記原稿が検知されたとき、前記原稿載置台を前記載置位置から前記搬送開始位置に移動するよう前記駆動手段を制御する制御手段と、を備え、前記制御手段が、前記選択手段によって前記長尺原稿モードが選択された場合には、前記原稿載置台を前記載置位置に移動させるよう駆動手段を制御し、前記読取開始指示手段により前記原稿の読み取りの開始指示があったとき、前記原稿載置台を前記搬送開始位置に移動させるよう前記駆動手段を制御するよう構成されている。
【００１３】
この構成により、ユーザが原稿載置台に載置する原稿が通常原稿か長尺原稿か否かによって、通常モードおよび長尺原稿モードのいずれか一方を選択することができ、利便性が向上することができる。このため、通常モードの場合には、原稿検知手段によって原稿載置台に原稿がセットされたことを検知したとき原稿載置台を上昇させ、長尺原稿モードの場合には、原稿検知手段によって原稿載置台に原稿がセットされたことを検知し、ユーザによってスタートキーを押下されたとき原稿載置台を上昇させることができる。したがって、通常原稿の場合には、コピー等の処理時間が短縮できる一方、長尺原稿の場合には、ユーザは、慌てずに原稿載置台に原稿をセットできる画像形成装置を提供することができる。
【００１４】
【発明の実施の形態】
以下、本発明の実施形態を図面に基づいて説明する。
図１〜６は本発明に係る画像形成装置の第１〜２の実施の形態を示す図であり、本発明の自動原稿搬送装置および画像形成装置の例を示している。
【００１５】
（第１の実施の形態）
本発明に係る画像形成装置は、複写機、ファクシミリ装置、スキャナ装置、複合機を含み、本実施の形態においては画像形成装置を複写機に適用した例について説明する。まず図１、２を参照して第１の実施の形態の構成について説明する。画像形成装置１は、自動原稿搬装置１ａおよび本体１ｂから構成され、本体１ｂは、その上面に読取位置を構成するコンタクトガラス２１ａおよびスリットガラス２１ｂが設けられているとともに、その上部には自動原稿搬送装置１ａとしてＡＤＦ（以下、単にＡＤＦ１ａをいう）が設けられており、このＡＤＦ１ａは図示しないヒンジ機構を介してコンタクトガラス２１ａおよびスリットガラス２１ｂを開放および閉塞するように開閉自在になっている。
【００１６】
ＡＤＦ１ａは、複数の原稿（用紙）からなる原稿束Ｐ（用紙束）が原稿面を上向きにして載置される原稿テーブル２と、原稿テーブル２に載置された原稿束Ｐから原稿を一枚ずつ分離して給紙する分離給紙部３５と、給紙された原稿を突き当て整合してスキューの矯正を行なうとともに、整合後の原稿を引き出して搬送するレジスト部３６と、搬送される原稿を反転させて、原稿面をスリットガラス２１ｂ側に向けて搬送するターン部３７と、原稿の表面画像をスリットガラス２１ｂの下方に設けられた図示しない後述する読取部より読取りを行わせる第１読取り搬送部３８と、読取り終了後の原稿の裏面画像を読取る第２読取り搬送部３９と、表裏の読取りが完了した原稿をＡＤＦ１ａ機外に排紙した原稿を積載保持する排紙部２９と、これらの搬送動作の駆動を行うピックアップモータ１０１、給紙モータ１０２、読取りモータ１０３、排紙モータ１０４と、底板上昇モータ１０５と、一連の動作を制御するコントローラ１００等から構成されている。
【００１７】
原稿テーブル２のテーブル面には、規定サイズの原稿（通常原稿）の長さを検知する原稿長さセンサ３０ａ、３０ｂが設けられており、この原稿長さ検知センサ３０ａ、３０ｂは反射型センサ、または、１枚の原稿でも検知可能なアクチュエータータイプのセンサ等から構成され、原稿の搬送方向長さを検知して検知信号をコントローラ１００に出力するようになっている。したがって、原稿長さ検知センサ３０ａ、３０ｂは少なくとも同一原稿サイズの縦か横かを判断可能なように原稿テーブル２のテーブル面に配置されている。
【００１８】
また、原稿テーブル２には図示しないサイドガイドが設けられており、このサイドガイドによって原稿束Ｐの幅方向（原稿の搬送方向と直行する方向）の位置決めが行なわれるようになっている。
【００１９】
また、原稿テーブル２の先端（原稿搬送方向下流側）には可動式原稿テーブル３が設けられており、原稿テーブル２と可動式原稿テーブル３とによって原稿載置台を構成している。この可動式原稿テーブル３は矢印３３のａ方向およびｂ方向に原稿を載置する載置位置（図１中、破線で示す）と原稿の搬送を開始する搬送開始位置（図１中、実線で示す）の間で移動することができるようになっている。底板上昇モータ１０５（駆動手段）は図示しない駆動伝達部を介して載置位置と搬送開始位置との間で可動式原稿テーブル３を移動できるようになっている。
【００２０】
なお、可動式原稿テーブル３の先端の下方には、底板ホームポジションセンサ６が設けられ、可動式原稿テーブル３が図１中点線で示す載置位置にあることを検知できるようになっている。コントローラ１００は本体１ｂに設けられた本体制御部１１１に信号を出力し、本体１ｂ側では原稿の複写を行なうための待機状態に移行する。
【００２１】
また、可動式原稿テーブル３の近傍にはセットフィラー４および原稿テーブル２に載置された原稿を検知する原稿セットセンサ５（原稿検知手段）が設けられており、セットフィラー４は原稿テーブル２に原稿束Ｐが載置されたときに破線で示す位置から実線で示す位置に移動し、原稿セットセンサ５がこのセットフィラー４を検知した状態から未検知状態に変化すると、コントローラ１００に信号を出力する。コントローラ１００は複写機の本体１ｂに設けられた本体制御部１１１に信号を出力し、本体１ｂ側では原稿の読取りを行なうための待機状態に移行する。
【００２２】
また、コントローラ１００は原稿セットセンサ５からの検知信号に基づいて原稿テーブル２に原稿束Ｐが載置されたことを判断したときに、底板上昇モータ１０５を上昇させ原稿束Ｐの最上面を原稿をピックアップローラ７によって呼び出し可能な位置、すなわち、搬送開始位置に可動式原稿テーブル３を移動させるよう底板上昇モータ１０５を制御するようになっている。ここで、搬送開始位置とは、原稿を搬送を開始できる位置をいう。
【００２３】
ピックアップローラ７はピックアップモータ１０１からの駆動力が図示しないカム機構を介して伝達されるようになっており、ピックアップモータ１０１およびカム機構により矢印３２のｃ方向およびｄ方向に上下移動する。
【００２４】
また、可動式原稿テーブル３の上方にはテーブル上昇センサ８が設けられており、このテーブル上昇センサ８は可動式原稿テーブル３が実線で示す搬送開始位置に上昇したときにピックアップローラ７が上昇すると、ピックアップローラ７の位置を検知することにより、ピックアップローラ７の上昇可能な上限を検知するようになっている。
【００２５】
また、本体１ｂ側に設けられた本体操作部１１１のスタートキーが押下され、本体制御部１１１からコントローラ１００に原稿給紙信号が送信されると、ピックアップローラ７は給紙モータ１０２の正転により回転駆動するようになっており、原稿テーブル２上の数枚（理想的には１枚）の原稿の給紙を開始する。
【００２６】
この給紙された原稿はピックアップローラ７の下流側に設けられた給紙ベルト９および分離ローラ１０からなる分離給紙部３５に給紙される。給紙ベルト９は給紙モータが正転駆動されると給紙方向（時計方向）に回転駆動されるようになっており、分離ローラ４０には図示しないトルクリミッタが内蔵され、給紙モータが正転駆動されると給紙方向と逆方向（時計方向）に回転駆動されるようになっている。このため、最上位の原稿とその下の原稿が分離されて、最上位の原稿のみが給紙される。
【００２７】
具体的には、分離ローラ１０は給紙ベルト９と所定圧で接しており、給紙ベルト９との直に接触しているとき、または、原稿１枚を介して接している状態では給紙ベルト９の回転につられて反時計方向に連れ回りし、原稿が万が一２枚以上給紙ベルト９と分離ローラ１０の間に進入した時は連れ回り力がトルクリミッタのトルクよりも低くなるように設定されている。このため、分離ローラ１０は本来の駆動方向である時計方向に回転し、余分な原稿を押し戻す働きをして重送を防止することができ、給紙ベルト９と分離ローラ１０の作用により１枚に分離された原稿は給紙ベルト９によって送られるようになっている。
【００２８】
また、給紙ベルト９の下流側にはレジスト部３６を構成する突き当てローラ対１２が設けられており、この突き当てローラ対１２は給紙モータ１０２により回転駆動されるようになっている。この突き当てローラ対１２は給紙ベルト３９と分離ローラ１０の作用により１枚に分離された原稿のスキューの矯正およびさらに下流側に搬送する機能を有している。
【００２９】
すなわち、原稿の給紙時に給紙モータ１０２を停止することにより、突き当てローラ対１２は停止された状態に設定されており、分離された原稿が突き当てローラ対１２の上流側に設けられた突き当てセンサ１１によって検知された後、突き当てローラ対１２に原稿の先端が突き当てられる。そして、突き当てセンサ１１が原稿の先端を検知してコントローラ１００に信号を出力すると、コントローラ１００は突き当てセンサ１１の検知から所定量定められた距離だけ給紙モータ１０２を駆動して給紙ベルト９を周回移動させることにより、突き当てローラ対１２に原稿が所定量の撓みを持って押し当てられた状態にする。
【００３０】
また、給紙モータ１０２の停止前にピックアップモータ１０１を回転させてピックアップローラ７を原稿束Ｐの上面から退避させる。このときには、原稿が給紙ベルト９の搬送力のみで送られることにより、原稿先端が突き当てローラ対１２のニップに進入して原稿の先端のスキューが矯正される。
【００３１】
また、スキューの矯正後に給紙モータ１０２が逆転駆動されるようになっており、このとき、突き当てローラ対１２は給紙モータ１０２によって回転駆動され、分離された原稿はターン部３７を構成するターンローラ対１４および読取入口ローラ対１６によって湾曲経路を通してスリットガラス２１ｂに向かって搬送されるようになっている。また、ターンローラ対１４および読取入口ローラ対１６は給紙モータ１０２によって駆動される。
【００３２】
なお、給紙モータ１０２が逆転駆動されると、突き当てローラ対１２、ターンローラ対１４および読取入り口ローラ対１６に給紙モータ１０２の駆動力が伝達され、ピックアップローラ７と給紙ベルト９には駆動力が駆動されない。
【００３３】
また、突き当てローラ対１２の下流側には原稿幅センサ１３が設けられており、この原稿幅センサ１３は図１中、図面の手前側から奥側に複数個設けられ、搬送された原稿を検知してコントローラ１００に信号を出力するようになっている。コントローラ１００は原稿幅センサ１３のＯＮ信号に基づいて原稿の搬送方向に直行する幅方向のサイズを検知するようになっている。
【００３４】
また、原稿の搬送方向の長さに関しては、コントローラ１００が原稿の突き当てセンサ１１からの検知信号に基づいて検知するようになっている。すなわち、突き当てセンサ１１が原稿の先端を検知してＯＮになり、その後、突き当てセンサ１１が原稿の後端を検知してＯＦＦになったときの給紙モータ１０２のパルス信号を計数することにより、原稿の長さを検知する。
【００３５】
スリットガラス２１ｂの上方には読取位置２０に対して原稿の搬送方向上流に搬送ローラ１９が設けられており、搬送ローラ１９は読取モータ１０３によって駆動されるようになっている。
【００３６】
なお、ここで読取位置２０とは、スリットガラス２１ｂの下方に設けられた画像読取部の図示しない読取光学系の固定位置で、スリットガラス２１ｂを通して原稿を読取るための位置のことである。
【００３７】
また、ターンローラ対１４の下流側には読取り入口センサ１５が設けられており、この読取り入口センサ１５は原稿先端を検知するとコントローラ１００に信号を出力するようになっている。コントローラ１００は読取り入口センサ１５から信号が入力されると、読取入口ローラ対１６のニップに原稿先端が進入する前に原稿の搬送速度を読取り搬送速度と同速にするために給紙モータ１０２の減速を開始するのと同時に、読取りモータ１０３を正転駆動してターンローラ対１４を読取りモータ１０３側の駆動系に接続するとともに、ターンローラ対１４、読取入口ローラ対１６、搬送ローラ１９を駆動するようになっている。
【００３８】
また、読取入口ローラ対１６の下流側にはレジストセンサ１７が設けられており、このレジストセンサ１７は原稿の先端を検知してコントローラ１００に信号を出力するようになっている。
【００３９】
コントローラ１００はレジストセンサ１７から信号が入力すると、給紙モータ１０２を所定の搬送距離をかけて減速し、スリットガラス２１ｂの手前で原稿の先端を一時停止させる共に本体制御部１１１にレジスト停止信号を送信する。コントローラ１００は本体制御部１１１から読取り開始信号を受信すると、レジスト停止していた原稿の先端がスリットガラス２１ｂに到達するまでに所定の搬送速度に立上がるように読取りモータ１０３を増速してターンローラ対１４および読取入り口ローラ１６により原稿を搬送する。
【００４０】
一方、スリットガラス２１ｂ上に読取り搬送ローラ１９が設けられ、読取りが終了した原稿は、搬送ローラ１９によって第２読取り搬送部３８に送られる。
【００４１】
第２読取り搬送部３８は、上面より読取り部を下方に向けて配置された第２の読取り部２５と、第２の読取り部２５の下方に設けられ、第２の読取り部２５の読取り面に所定圧と所定の間隔を持って配置された押圧ローラ２６とを備えており、読取り出口ローラ対２３から送り出された原稿は、第２の読取り部２５および押圧ローラ２６の間を通過する。ここで、両面モードの場合には原稿先端が第２の読取り部２５に到達するタイミングを排紙センサ２４の先端検知からの読取りモータ１０３のパルスカウントにより制御し、このタイミングで裏面画像の有効読取り領域を示すゲート信号を第２の読取り部２５に送信される。
【００４２】
この信号に基づいて第２の読取り部２５により原稿の裏面に当たる面の画像が読み取られ、第２の読取り部２５によって表面と同じに電気的に変換された後、第２の読取り部２５から本体制御部１１１に転送される。また、押圧ローラ２６は第２の読取り部２５における原稿の浮きを抑えると同時に、第２の読取り部２５におけるシェーデングデータを取得する為の基準白部を兼ねるものである。なお、第２の読取り部２５の構成については、後述する。
【００４３】
また、表面および裏面の原稿読取り領域終了のタイミングは、原稿の後端を排紙センサ２４で検知した時点からのパルスカウントによって制御するようになっており、その後、原稿は出口ローラ対２７および排紙ローラ対２８に挟持されて排紙部２９上に排出される。また、排紙センサ２４による原稿の先端検知からの排紙モータパルスカウントにより、原稿後端が排紙ローラ２８の上下ローラ対のニップから抜ける直前に排紙モータ駆動速度を減速させて、排紙部２９上に排出される原稿が飛び出さないように制御される。
【００４４】
また、複数枚の原稿の連続読取り時には、原稿排出完了タイミングよりも次原稿先出しによるレジスト停止動作によって読取りモータ１０３の駆動が停止するため、読取りの完了した原稿の排出動作は、次原稿の読取り開始による読取りモータ１０３の駆動再開によって原稿後端が排紙センサ２４を抜けた時点で本体制御部１１１に排紙完了信号を送信し、原稿の搬送を完了する。
【００４５】
ここで、図３を参照して第２の読取り部を説明する。第２の読取り部２５は、光源部２００、センサチップ２０１、アンプ２０２、Ａ／Ｄ変換部２０３、画処理部２０４、フレームメモリ２０５、出力制御回路２０６、Ｉ／Ｆ回路２０７を備えている。光源部２００にはＬＥＤアレイ、蛍光灯、冷陰極管、等を用いる。
【００４６】
また、センサチップ２０１には、等倍密着イメージセンサと称される光電変換素子と集光レンズ部材とを、読み取る原稿の幅方向の長さに応じて複数個並べたものを用いる。ここでは密着センサとしているが、ＡＤＦ内部のスペースが取れれば縮小光学系を用いたものを採用してもよい。
【００４７】
そして、光源部２００からの照射光によって照らされた原稿の明暗の情報をセンサチップ２０１で電気信号に変換し、アンプ２０２により増幅してＡ／Ｄ変換部２０３によりデジタル信号に変換し、画処理部２０４でシエーデイング補正等を行い、原稿を読み取った画像データをフレームメモリ２０５へ蓄積し、これを出力制御回路２０６で、本体制御部１１１で受け入れ可能なデー  タに変換し、Ｉ／Ｆ回路２０７を介して本体制御部１１１へ転送するようになっている。
【００４８】
なお、コントローラ１００からは原稿先端が読取部に到達するタイミング（そのタイミング以降の画像データが有効データとして扱われる）を知らせるためのタイミング信号や光源の点灯信号、電源等が供給されるようになっている。
【００４９】
次に、本体１ｂについて説明する。本体１ｂは、図示しない画像読取部および画像形成部等を備えている。
画像読取部は、図示しないミラー、光源、結像レンズ、シェーディング板、光電変換素子（ＣＣＤラインセンサ）、スキャナモータ等から構成されており、自動給紙モードの場合、スリットガラス２１ｂの下方の読取位置２０においてＡＤＦ１ａによって搬送されてきた原稿を読取るようになっており、一方、圧板モードの場合、コンタクトガラス２１ａの下方で光源が移動することによって、コンタクトガラス２１ａに載置された原稿を読取るようになっている。この自動給紙モードおよび圧板モードにおいて、原稿を読取る際、原稿に光源から光を照射し、副走査方向に順次移動しながら１ライン単位で原稿からの反射光をミラーおよび結像レンズを介してＣＣＤラインセンサの受光面に結像し、原稿の画像面を順次画像信号（画像データ）に変換するようになっている。
【００５０】
また、画像形成部は、図示しない走査光学系、ミラー等の書き込み光学系、感光体、現像ユニット、転写ユニット、分離ユニット、定着ユニット等からなり、画像読取部にて得られた画像信号を変倍処理等を施した後、周知の電子写真プロセスによって画像を形成するようになっている。すなわち、前述した書き込み系にて書き込み動作が行われ、感光体上に静電潜像を形成し、その静電潜像にトナーを付着させて現像し、潜像化する。この画像動作のタイミングを合わせて、原稿サイズに対応する給紙カセットのコピー用紙に給紙し、感光体上のトナー像がそのコピー用紙に転写される。転写後のコピー用紙は、感光体から分離され、定着ユニットにてトナー像が定着された後、排紙されるようになっている。
【００５１】
次に、画像形成装置１の制御部の構成について説明する。図２に示すように、本体１ｂに装着されたＡＤＦ１ａには、ＡＤＦ１ａの動作を制御するコントローラ１００を有し、このコントローラ１００は、各センサ１７、５、２４、１１、１３、１５、８、６からの検知信号、各モータ１０１、１０２、１０３、１０４、１０５からの送信信号、および本体１ｂからＩ／Ｆ１０７を介して送信された制御信号等を入力するようになっている。
【００５２】
また、コントローラ１００は、各センサ等からの信号を本体制御部１１１にＩ／Ｆ１０７を介して送信するとともに、各モータ等の駆動を制御する。例えば、原稿セットセンサ５が、原稿テーブル２および可動式原稿テーブル３に原稿束Ｐセットされたことを検知すると、その検知信号はコントローラ１００によってＩ／Ｆ１０７を介して本体制御部１１１に送信される。
【００５３】
一方、画像形成装置１の本体１ｂには、装置全体を制御する本体制御部１１１を有し、この本体制御部１１１は、本体１ｂ側の図示しない各種センサからの検知信号、図示しない駆動モータ、クラッチ類などを構成する入出力部からの状態信号、および操作部１０８からＩ／Ｆ１０６を介して送信された各種信号等を入力する。さらに、本体制御部１１１は、こうして入力された各種信号に基づいて、入出力部の駆動制御や操作部１０８の表示制御を行うとともに、ＡＤＦ１ａに対し、ピックアップローラ７を駆動回転させて搬送開始させるための搬送開始信号を含む各種制御信号をコントローラ１００に送信してＡＤＦ１ａの搬送動作を制御するようになっている。なお、操作部１０８は、本体１ｂにも設けられ、図示しないスタートキーや、テンキー等の各種ボタンキー、およびＬＣＤ表示器等を有し、各種モード選択・設定や動作開始／停止指示がユーザの操作で可能になっている。
【００５４】
本実施の形態において本発明に係る特徴部分について説明する。操作部１０８は、通常モードおよび長尺原稿モードを選択させるための図示しない選択ボタン（モード選択手段）を有し、それぞれのモードをＬＣＤ表示器に表示して、選択ボタンによっていずれか一方のモードを選択できるようになっている。例えば、ユーザは、原稿テーブル２に載置する原稿が例えばＡ３、Ａ４等の規定サイズ（通常原稿）の場合には通常モードを選択し、原稿テーブル２に載置する原稿が規定サイズより搬送方向に長い長尺原稿の場合には、長尺原稿モードを選択するようになっている。
【００５５】
本体制御部１１１は、選択ボタンによって通常モードおよび長尺原稿モードのうち通常モードが選択されたとき、可動式原稿テーブル３の上昇動作を解除しないで、スタートキーが押下されたとき、搬送動作が開始される。
【００５６】
また、本体制御部１１１は、選択ボタンによって通常モードおよび長尺原稿モードのうち長尺原稿モードが選択されたとき、長尺原稿モードに対応した長尺原稿モード信号をコントローラ１００にＩ／Ｆ１０７を介してコントローラ１００に出力するようになっている。そして、コントローラ１００は長尺原稿モード信号が後述する入力手段を介して本体制御部１１１から入力され、可動式原稿テーブル３を載置位置に移動させるよう底板上昇モータ１０５を制御するようになっている。すなわち、コントローラ１００は可動式原稿テーブル３の上昇動作を解除する。
【００５７】
本体制御部１１１は、読み取り開始指示、すなわちスタートキーが押下されたか否かを検知して、押下された場合には、Ｉ／Ｆ１０７を介してコントローラ１００に読み取り開始指示に対応した開始指示信号を出力するようになっている。コントローラ１００は、開始指示信号が入力手段を介して入力された場合には、可動式原稿テーブル３を搬送開始位置に移動させるよう底板上昇モータ１０５を制御するようになっている。ここで、スタートキーとは、複写機であれば、複写の開始を指示するボタンであるが、スキャナであれば読取りの開始を指示するボタンとなる。また、入力手段とは、コントローラ１００に設けられた入力部１００ａをいう。
【００５８】
なお、本実施の形態においては、通常モードが選択されている場合、コピー等の処理時間が短縮するため、原稿セットセンサ５が、原稿をセットしたと同時に可動式原稿テーブル３を上昇し、長尺原稿モードが選択されている場合、可動式原稿テーブル３の上昇動作を解除し、スタートキーの押下されたとき再度可動式原稿テーブル３を上昇するようになっているが、これに限定されるものではなく、ユーザが選択ボタンにより通常モードおよび長尺原稿モードのいずれか一方を選択したときに、可動式原稿テーブル３が初めて上昇するよう底板上昇モータ１０５を制御するようにしてよい。
【００５９】
次に、本実施の形態における画像形成装置の動作を図４を参照して説明する。
まず、スッテプＳ４０１において、原稿セットセンサ５の検知信号により原稿がセットされたか否かがコントローラ１００により判定され、原稿がセットされていると判定された場合にはＳ４０２に進み、一方原稿がセットされていないと判定された場合には、原稿がセットされるまで待ち状態となる。
【００６０】
次に、ステップＳ４０２において、底板上昇モータ１０５によって可動式原稿テーブル３を上昇させて、ステップＳ４０３に進む。
次に、ステップＳ４０３において、ユーザに通常モードおよび長尺原稿モードのいずれか一方を選択させるため、操作部１０８のＬＣＤ表示器にモード選択を表示してステップＳ４０４に進む。
【００６１】
次に、ステップＳ４０４において、ユーザによって選択されたモードが、通常モードか長尺原稿モードか否かが本体制御部１１１により判定され、長尺原稿モードが選択されていると判定された場合、ステップＳ４０５に進み、長尺原稿モードが選択されていないと判定された場合、終了する。
次に、ステップＳ４０５において、可動式原稿テーブル３を載置位置から搬送開始位置に上昇する動作を解除して、ステップＳ４０６に進む。
【００６２】
次に、ステップＳ４０６において、スタートキーが押下されたか否かが本体制御部１１１により判定され、スタートキーが押下されていないと判定された場合にはスタートキーが押下されるまで待ち状態となり、スタートキーが押下されている判定された場合にはステップＳ４０７に進む。
【００６３】
次に、ステップＳ４０７において、底板上昇モータを駆動させて再び可動式原稿テーブル３を載置位置から搬送開始位置に上昇させる。これに伴って原稿が持ち上げられ、ピックアップローラ７に当接して搬送動作が開始される。
【００６４】
このように、本実施の形態においては、ユーザが原稿テーブル２に載置する原稿が通常原稿か長尺原稿か否かによって、通常モードおよび長尺原稿モードのいずれか一方を選択することができ、利便性が向上することができる。このため、通常モードの場合には、原稿セットセンサ５によって原稿テーブル２に原稿がセットされたことを検知したとき可動式原稿テーブル３を上昇させ、長尺原稿モードの場合には、原稿セットセンサ５によって原稿テーブル２に原稿がセットされたことを検知し、ユーザによってスタートキーを押下されたとき可動式原稿テーブル３を上昇させることができる。したがって、通常原稿の場合には、コピー等の処理時間が短縮できる一方、長尺原稿の場合には、ユーザは、慌てずに原稿テーブル２に原稿をセットすることができる。
【００６５】
なお、本実施の形態においては、原稿テーブルに載置される原稿が通常原稿か長尺原稿かによって、ユーザに通常モードおよび長尺原稿モードのうちいずれか一方を選択させているが、後述する第２の実施形態のように原稿テーブルに載置される原稿が通常原稿か長尺原稿か否かを検知させて可動式原稿テーブル３を制御するようにしてもよい。以下、第２の実施の形態について説明するが、第２の実施の形態は、第１の実施の形態と同一の構成を有すが、第１の実施の形態と同一の構成について同一の符号を付してその説明を省略する。
【００６６】
（第２の実施の形態）
図１に示すように、原稿テーブル２には、長尺原稿センサ３１が設けられ、この長尺原稿センサ３１は、反射型センサ、または、１枚の原稿でも検知可能なアクチェータータイプのセンサ等から構成され、Ａ４、Ａ３等の規定サイズの原稿を構成する通常原稿であるか、通常原稿より搬送方向に長い原稿を構成する長尺原稿であるかを検知するようになっている。したがって、長尺原稿センサ３１は、少なくとも通常原稿か長尺原稿かを判断可能なように原稿テーブル２のテーブル面に配置されている。
【００６７】
この長尺原稿センサ３１は、原稿テーブル２に載置された原稿が長尺原稿であると検知されたとき、その長尺検知信号を図２に示すコントローラ１００に出力するようになっており、コントローラ１００は、この長尺検知信号が入力された場合には、長尺原稿モードと判定する一方、この長尺検知信号が入力されない場合には、通常モードと判定するようになっている。なお、本実施の形態においては、コントローラ１００により通常モードか長尺モードか否かを判定しているが、本体制御部１１１により判定するようにしてもよい。
【００６８】
コントローラ１００は、長尺原稿センサ３１によって原稿が長尺原稿であると検知された場合には、可動式原稿テーブル３を載置位置に移動させるよう底板上昇モータ１０５を制御し、入力手段に開始指示信号が入力されたとき、原稿載置台を搬送開始位置に移動させるよう底板上昇モータ１０５を制御するようになっている。なお、第１の実施の形態おいては、通常モードおよび長尺原稿モードのいずれか一方をユーザに選択させて、底板上昇モータ１０５を制御しているが、第１の実施の形態に本実施の形態の制御を付加してもよい。この場合、第１の実施の形態における制御を手動モードとし、第２の実施の形態における制御を自動モードとして、予めユーザに操作部１０８により手動モードおよび自動モードのうちいずれか一方のモードを選択できるようにしてもよい。
【００６９】
次に、画像形成装置の動作を図５を参照して説明する。
まず、ステップＳ５０１において、原稿セットセンサ５の検知信号により原稿がセットされたか否かがコントローラ１００により判定され、原稿がセットされていると判定された場合にはＳ５０２に進み、一方原稿がセットされていないと判定された場合には、原稿がセットされるまで待ち状態となる。
次に、ステップＳ５０２において、可動式原稿テーブル３を上昇させて、ステップＳ５０３に進む。
【００７０】
次に、ステップＳ５０３において、長尺原稿センサ３１により検知された検知結果に基づいて、コントローラ１００によって通常モードか長尺原稿モードか否かが判定され、通常モードと判定された場合には終了し、長尺原稿モードの場合にはステップＳ５０４に進む。
次に、ステップＳ５０４において、可動式原稿テーブル３を載置位置から搬送開始位置に上昇する動作を解除して、ステップＳ５０５に進む。
【００７１】
次に、ステップＳ５０５において、スタートキーが押下されたか否かが本体制御部１１１により判定され、スタートキーが押下されていないと判定された場合にはスタートキーが押下されるまで待ち状態となり、スタートキーが押下されている判定された場合にはステップＳ５０６に進む。
【００７２】
次に、ステップＳ５０６において、底板上昇モータを駆動させて再び可動式原稿テーブル３を載置位置から搬送開始位置に上昇させる。これに伴って原稿が持ち上げられ、ピックアップローラ７に当接して搬送動作が開始される。
【００７３】
このように、本実施の形態における画像形成装置によれば、原稿テーブル２に通常原稿か長尺原稿か否かを検知する長尺原稿センサ３１が設けられているので、長尺原稿か通常原稿かをコントローラ１００により判定することができる。このため、原稿テーブル２に載置された原稿が通常原稿の場合には、通常モードを選択し、原稿セットセンサ５によって原稿が検知されたとき、可動式原稿テーブル３を上昇させるよう底板上昇モータ１０５を制御し、長尺原稿の場合には、長尺原稿モードを選択し、原稿セットセンサ５によって原稿が検知され、ユーザによってスタートキーを押下されたとき、可動式原稿テーブル３を上昇させるよう底板上昇モータ１０５を制御することができる。したがって、ユーザに通常モードおよび長尺原稿モードのうちいずれか一方を選択させることなく、通常原稿の場合には、コピー等の処理時間が短縮できる一方、長尺原稿の場合には、ユーザは、慌てずに原稿テーブル２に原稿をセットすることができ、利便性が向上する。
【００７４】
なお、本実施の形態においては、長尺原稿の場合には、長尺原稿モードを選択し、前述したような制御をするが、以下に示すように、前述した長尺原稿モードを長尺原稿モード（１）とし、新たに長尺原稿モード（２）を設け、ユーザに最も適したタイミングで可動式原稿テーブル３を制御できるよう長尺原稿モード（２）により設定できるようにしてもよい。
【００７５】
操作部１０８のＬＣＤ表示器により、予め長尺原稿モード（１）および（２）のうちいずれか一つを選択できるようになっており、長尺モード（２）は、可動式原稿テーブル３の上昇動作を解除して再び上昇させるまでの所定の時間を設定できるようになっている。設定した長尺モード（２）が選択されている場合には、予め設定された所定の時間が経過したとき、可動式原稿テーブル３を搬送開始位置に移動させるようになっている。ここで長尺原稿モード（１）は、上述した構成と同一であるため、その説明を省略する。
【００７６】
ユーザは、予め操作部１０８により長尺モード（１）および長尺モード（２）のいずれかを選択し、長尺モード（２）を選択した場合、操作部１０８のテンキー等により、可動式原稿テーブル３の上昇動作を解除して再び上昇させるまでの所定の時間を設定する。
また、コントローラ１００は、予め設定された所定の時間を経過したかを判定するようになっている。
【００７７】
次に、画像形成装置の動作を図６を参照して説明する。
まず、ステップＳ６０１において、原稿セットセンサ５の検知信号により原稿がセットされたか否かがコントローラ１００により判定され、原稿がセットされていると判定された場合にはＳ６０２に進み、一方原稿がセットされていないと判定された場合には、原稿がセットされるまで待ち状態となる。
次に、ステップＳ６０２において、可動式原稿テーブル３を上昇させて、ステップＳ６０３に進む。
【００７８】
次に、ステップＳ６０３において、長尺原稿センサ３１により検知された検知結果に基づいて、コントローラ１００によって通常モードか長尺原稿モードか否かが判定され、通常モードと判定された場合には終了し、長尺原稿モードの場合にはステップＳ６０４に進む。
【００７９】
次に、ステップＳ６０４において、可動式原稿テーブル３を載置位置から搬送開始位置に上昇する動作を解除して、ステップＳ６０５に進む。
次に、ステップＳ６０５において、長尺原稿モード（１）であるか長尺原稿モード（２）であるか否かが判定され、長尺原稿モード（１）の場合には、ステップＳ６０６に進み、長尺原稿モード（２）の場合には、ステップＳ６０７に進む。
【００８０】
次に、ステップＳ６０６において、スタートキーが押下されたか否かが本体制御部１１１により判定され、スタートキーが押下されていないと判定された場合にはスタートキーが押下されるまで待ち状態となり、スタートキーが押下されている判定された場合にはステップＳ６０８に進む。
【００８１】
一方、ステップＳ６０７において、ユーザが予め設定した所定の時間を経過したか否かが判定され、所定の時間が経過していないと判定された場合には、待ち状態となる一方、所定の時間が経過したと判定された場合には、ステップＳ６０８に進む。
【００８２】
次に、ステップＳ６０８において、底板上昇モータを駆動させて再び可動式原稿テーブル３を載置位置から搬送開始位置に上昇させる。これに伴って原稿が持ち上げられ、ピックアップローラ７に当接して搬送動作が開始される。
【００８３】
このように、長尺原稿モードにおいて、予め長尺モード（２）および所定の時間を設定することができる。このため、原稿テーブル２に載置された原稿が通常原稿の場合には、通常モードを選択し、原稿セットセンサ５によって原稿が検知されたとき、可動式原稿テーブル３を上昇させるよう底板上昇モータ１０５を制御し、長尺原稿の場合には、長尺原稿モードを選択し、原稿セットセンサ５によって原稿が検知され、予め設定された所定の時間を経過したとき、可動式原稿テーブル３を上昇させるよう底板上昇モータ１０５を制御することができる。したがって、通常原稿の場合には、コピー等の処理時間が短縮できる一方、長尺原稿の場合には、ユーザは、慌てずに原稿テーブル２に原稿をセットすることができ、利便性を向上させることができる。
【００８４】
【発明の効果】
本発明によれば、原稿載置台にセットされる原稿が取り扱いづらい長尺原稿の場合に、原稿のセット性を良好にして搬送性能の向上させることができる。
【図面の簡単な説明】
【図１】本発明に係る画像形成装置としての複写機の概略構成図である。
【図２】本発明に係る画像形成装置としての複写機の概略ブロック図である。
【図３】本発明に係る画像形成装置としての複写機の第２読取り部の概略ブロック図である。
【図４】本発明に係る画像形成装置としての複写機の動作を示すフローチャートである。
【図５】本発明に係る画像形成装置としての複写機の動作を示すフローチャートである。
【図６】本発明に係る画像形成装置としての複写機の動作を示すフローチャートである。
【符号の説明】
１  画像形成装置
１ａ  自動原稿搬送装置
１ｂ  本体
２  原稿テーブル（原稿載置台）
３  可動式原稿テーブル（原稿載置台）
５  原稿セットセンサ（原稿検知手段）
２９  排紙部
３１  長尺原稿センサ（長尺原稿検知手段）
１００  コントローラ（駆動制御手段）
１０１ａ  入力部（入力手段）
１１１  本体制御部（制御手段）
１０５  底板上昇モータ（駆動手段）
１０８  操作部（モード選択手段、設定手段、読取開始指示手段）
【図１】
2004282369.tif 000003
【図２】
2004282369.tif 000004
【図３】
2004282369.tif 000005
【図４】
2004282369.tif 000006
【図５】
2004282369.tif 000007
【図６】
2004282369.tif 000008